(57)【要約】【課題】  本発明は、構成が簡単で、大型化することのないハサミ状の袋絞り出し器を提供する。【解決手段】  ハサミの上刃４ａと下刃４ｂに、該上刃４ａ及び下刃４ｂを貫通する貫通部５ａ、５ｂを、該上刃４ａ及び下刃４ｂの長手方向に沿ってそれぞれ設けて袋絞り出し器１を構成する。貫通部５ａ、５ｂが重なった状態でレトルトパック等の袋を該貫通部５ａ、５ｂに通し、袋絞り出し器１とレトルトパック等の袋を相対的に移動させることにより、レトルトパック等の袋の内容物を容易に絞り出すことができる。【選択図】  図２
2005088972.tif 000002
【特許請求の範囲】
【請求項１】
ハサミの上刃と下刃に、該上刃及び下刃を貫通する貫通部を、該上刃及び下刃の長手方向に沿ってそれぞれ設けたことを特徴とする袋絞り出し器。
【請求項２】
前記貫通部は、前記ハサミが完全に閉じられる直前に、重なり合う位置にそれぞれ設けられていることを特徴とする請求項１に記載の袋絞り出し器。
【請求項３】
前記貫通部は、前記ハサミが完全に閉じられた時に、重なり合う位置にそれぞれ設けられていることを特徴とする請求項１に記載の袋絞り出し器。
【発明の詳細な説明】
【技術分野】
【０００１】
本発明は、レトルトパック等の袋に入った内容物を絞り出すための袋絞り出し器に関する。
【背景技術】
【０００２】
レトルトパック等の内容物を絞り出すために、まずハサミで袋を開封して、次に箸等の細長い物で挟み込んで絞り出しているのが一般的である。しかし、この方法では、ハサミ及び箸という２つの器具が必要であり、又箸等ではなかなか完全に内容物を絞り出すことは難しかった。このような問題点を解決するために、切るためのカット刃と絞り出すためのローラー部を設けたハサミ状の絞り出し器が考え出されている（特許文献１）。
【特許文献１】実開平２−８７７５３（第１図、第２図）
【発明の開示】
【発明が解決しようとする課題】
【０００３】
しかしながら、特許文献１に記載のハサミ状の絞り出し器は、切るためのカット刃と絞り出すためのローラー部がハサミの長手方向に別個に設けられているため、全体の長さは少なくともローラー部の長さとカット刃の長さが必要となり大型化してしまう。また、構成も通常のハサミとは異なり複雑である。
本発明は、このような問題点に鑑みなされたものであり、その目的は、構成が簡単で大型化することのないハサミ状の袋絞り出し器を提供するものである。
【課題を解決するための手段】
【０００４】
前記目的を達成するために、本発明の袋絞り出し器は、ハサミの上刃と下刃に、該上刃及び下刃を貫通する貫通部を、該上刃及び下刃の長手方向に沿ってそれぞれ設けたことを特徴とする。
前記貫通部は、前記ハサミが完全に閉じられる直前に、重なり合う位置にそれぞれ設けられるように構成することができる。
前記貫通部は、前記ハサミが完全に閉じられた時に、重なり合う位置にそれぞれ設けられるように構成することができる。
【発明の効果】
【０００５】
本発明によれば、構成が簡単で大型化することのないハサミ状の袋絞り出し器を提供できる。
【発明を実施するための最良の形態】
【０００６】
次に、本発明の内容を詳細に説明するが、本発明はこれら実施の形態に何ら限定されるものではない。
【０００７】
図１乃至図６は、本発明の実施形態における袋絞り出し器を示す。
【０００８】
図１において、袋絞り出し器１は、通常のハサミと同様に、取っ手部３ａ、３ｂ及び上刃４ａ、下刃４ｂが、支点２を中心に回動するよう構成されている。上刃４ａ、下刃４ｂには、その長手方向に沿って、上刃４ａ、下刃４ｂを貫通する貫通部５ａ、５ｂがそれぞれ形成されている。貫通部５ａ、５ｂの長手方向の長さ及び長手方向と直交する方向の幅は、所望のレトルトパック等の袋を通すことができる大きさに設定されている。
【０００９】
貫通部５ａ、５ｂは、図２に示すように、ハサミが完全に閉じられる直前に、それぞれの貫通部５ａ、５ｂが重なり合い、ハサミが完全に閉じられた時には、図３に示すように、貫通部５ａ、５ｂの重なった部分の幅がせばまるように構成されている。
【００１０】
次に、図２、図３に示した袋絞り出し器１の使用状態を、図４により説明する。まず、レトルトパック等の袋６を、袋絞り出し器１の上刃４ａ、下刃４ｂで切って開封する。次に、図２に示すようにハサミを少し開いた状態にして、重なり合った貫通部５ａ、５ｂに袋６を底の側から挿入する。そして、袋６を挿入した状態で、図３に示すようにハサミを完全に閉じると、重なった貫通部５ａ、５ｂの幅がせばまるため、袋６は貫通部５ａ、５ｂにより挟まれ押圧されることになる。この状態で、袋絞り出し器１と袋６を相対的に移動させることにより、内容物をほとんど残すことなく容易に絞り出すことができる。このように、ハサミを閉じた状態で絞り出し動作を行うことができるので、操作性が非常に優れたものとなる。
【００１１】
なお、貫通部５ａ、５ｂは、ハサミが完全に閉じられた時に、それぞれの貫通部５ａ、５ｂが重なり合うように構成することもできる。この実施の形態を、図５、図６により説明する。なお、図５、図６において、貫通部５０ａ、５０ｂの形成される位置以外の他の構成は、図２、図３の構成と同様である。貫通部５０ａ、５０ｂは、図５に示すように、ハサミが完全に閉じられた時に、それぞれの貫通部５０ａ、５０ｂが重なり合い、ハサミが少し開かれた時には、図６に示すように、貫通部５０ａ、５０ｂの重なった部分の幅がせばまるように構成されている。この場合、図５に示すようにハサミを完全に閉じた状態にして、重なり合った貫通部５０ａ、５０ｂに袋６を挿入する。そして、袋６を挿入した状態で、図６に示すようにハサミを少し開くと、重なった貫通部５０ａ、５０ｂの幅がせばまるため、袋６は貫通部５０ａ、５０ｂにより挟まれ押圧されることになる。この状態で、袋絞り出し器１と袋６を相対的に移動させることにより、内容物をほとんど残すことなく容易に絞り出すことができる。この場合は、ハサミを閉じた状態で袋６を挿入することができるので、挿入動作がし易いという利点がある。
【００１２】
このように、ハサミの上刃、下刃に貫通部を設けるというだけの簡単な構成により、袋を切るという動作と袋を絞り出すという動作を一つの器具でできる。また、上刃、下刃は、金型成型等により貫通部も同時に一体成型できるため、製造も容易である。さらに、貫通部は上刃、下刃の長さの範囲内に形成されるため、ハサミ全体の長さが必要以上に大きくなることがない。また、貫通部の幅（上刃、下刃の長手方向と直交する方向の長さ）を異なった大きさにすれば、貫通部の位置を決める際に、それほど高い精度が要求されないという利点がある。
【図面の簡単な説明】
【００１３】
【図１】本発明の実施の形態にかかる袋絞り出し器の開いた状態を示す平面図。
【図２】本発明の実施の形態にかかる袋絞り出し器の完全に閉じられる直前の状態を示す平面図。
【図３】本発明の実施の形態にかかる袋絞り出し器の完全に閉じられた状態を示す平面図。
【図４】本発明の実施の形態にかかる袋絞り出し器の使用状態を示す斜視図。
【図５】本発明の他の実施の形態にかかる袋絞り出し器の完全に閉じられた状態を示す平面図。
【図６】本発明の他の実施の形態にかかる袋絞り出し器の少し開かれた状態を示す平面図。
【符号の説明】
【００１４】
１、１０        袋絞り出し器
２、２０        支点
３ａ、３０ａ    取っ手部
３ｂ、３０ｂ    取っ手部
４ａ、４０ａ    上刃
４ｂ、４０ｂ    下刃
５ａ、５０ａ    貫通部
５ｂ、５０ｂ    貫通部
６              袋
【図１】
2005088972.tif 000003
【図２】
2005088972.tif 000004
【図３】
2005088972.tif 000005
【図４】
2005088972.tif 000006
【図５】
2005088972.tif 000007
【図６】
2005088972.tif 000008